(57)【特許請求の範囲】
【請求項１】
プロ専用の情報処理交換の手提げ設備であって、本体を含み、前記本体の頂面の中には矩形枠がスライド可能に設置され、前記矩形枠の頂面には前記本体に位置する収納空間が設置され、前記収納空間の前後壁の間には長スライド溝が形成され、二つの前記長スライド溝の間にはピン軸がスライド可能に設置され、前記収納空間の中には表示器枠が設置され、前記ピン軸が前記表示器枠の一端を貫通しており、且つ前記表示器枠と前記ピン軸とが固定的に連結され、前記表示器枠の頂面には表示器が固定的に嵌設され、前記表示器は情報を表示でき、前記表示器は使用者に情報を読み取らせるため、前記表示器枠に連動して前記収納空間の外部までスライドでき、前記本体の底面には処理器空間が設置され、前記処理器空間の中には処理器がスライド可能に設置され、前記処理器は前記表示器に電気信号を伝達でき、前記処理器空間の左側が外部と連通しており、前記処理器空間の左右両側壁の中にはいずれも放熱板が固定的に設置され、前記処理器空間の右側にはファン空間が設置され、前記ファン空間の中にはファンが回転可能に設置され、前記ファンは前記処理器に風を送って放熱を行うことができ、前記本体の右側面には貯蔵空間が形成され、前記貯蔵空間の中にはＵＳＢ処理器がスライド可能に設置され、前記ＵＳＢ処理器の右側面には二つのＵＳＢインターフェイスが固定的に設置され、前記ＵＳＢインターフェイスは外部のＵＳＢの情報を読み取ることができ、前記本体の頂部にはキーボードがスライド可能に設置されていることを特徴とするプロ専用の情報処理交換の手提げ設備。
【請求項２】
前記矩形枠の左右両側にはいずれもスライド溝が形成され、前記スライド溝の中にはいずれもネジ山ブロックがスライド可能に設置され、前記ネジ山ブロックが前記矩形枠と固定されており、前記スライド溝の中にはいずれもネジ山棒が回転可能に設置され、前記ネジ山棒が前記ネジ山ブロックとネジ山により連結され、二つの前記ネジ山棒の底部の延びた部分がベルトにより連結され、右側の前記ネジ山棒の底端が前記本体の中に固定的に嵌設された昇降モータと伝動可能に連結されていることを特徴とする請求項１に記載のプロ専用の情報処理交換の手提げ設備。
【請求項３】
前記収納空間の左側壁の中には動力モータが固定的に嵌設され、前記動力モータの右端には右方へ延びた螺旋棒が伝動可能に連結され、前記収納空間の底壁には底溝が形成され、前記底溝の中にはスライドブロックがスライド可能に設置され、前記螺旋棒にはネジ山スライドブロックがネジ山により連結され、前記ネジ山スライドブロックと前記スライドブロックとの間には連結棒が固定的に設置され、前記ネジ山スライドブロックと前記表示器枠の底面との間にはヒンジ連結棒がヒンジで連結されていることを特徴とする請求項２に記載のプロ専用の情報処理交換の手提げ設備。
【請求項４】
前記処理器空間の底部は開けられるように設計され、前記処理器空間の頂壁には導電板が固定的に設置され、前記処理器の頂面には電気接続ブロックが固定的に設置され、前記電気接続ブロックを前記導電板の中に挿入することができ、前記導電板と前記表示器とが通電可能に連結され、前記処理器空間の右壁には引掛り板がスライド可能に設置され、前記引掛り板は前記処理器を止めることができ、前記引掛り板と前記本体の間には第一ばねが装着されていることを特徴とする請求項３に記載のプロ専用の情報処理交換の手提げ設備。
【請求項５】
前記ファン空間の右壁の中には放熱モータが固定的に嵌設され、前記放熱モータと前記ファンとが伝動可能に連結され、前記ファン空間の底部が開口していることを特徴とする請求項４に記載のプロ専用の情報処理交換の手提げ設備。
【請求項６】
前記貯蔵空間の右側には前記貯蔵空間を封じることができる回転止板が回転可能に設置され、前記ＵＳＢ処理器と前記貯蔵空間の左側壁との間には第二ばねが装着され、前記貯蔵空間の頂壁には導電接点が固定的に設置され、前記導電接点と前記導電板とが通電可能に連結され、前記導電接点は前記ＵＳＢ処理器の中の電気信号を前記処理器に伝達できることを特徴とする請求項５に記載のプロ専用の情報処理交換の手提げ設備。
【請求項７】
前記貯蔵空間の底壁には前記ＵＳＢ処理器の位置を制限できるラックがスライド可能に設置され、前記ラックの左側には復帰機構が固定的に設置され、前記ラックの前側には歯車が噛み合うように設置され、前記歯車の右端にはノブが固定的に連結され、前記ＵＳＢ処理器の底面には挿入溝が形成され、前記ラックを前記挿入溝の中に挿入することができることを特徴とする請求項６に記載のプロ専用の情報処理交換の手提げ設備。
【発明の詳細な説明】
【技術分野】
【０００１】
本願発明は情報処理技術分野に関し、具体的にはプロ専用の情報処理交換の手提げ設備に関する。
【背景技術】
【０００２】
情報交換設備は一般パソコンや携帯、ＵＳＢといったデータを入力または出力できる設備を含む。デスクトップパソコンまたはノートパソコンは特殊の場合では使用に不便がある。例えば、プロ専用の暗号装置を特定の場合で便利に使用できない。本願発明は上記問題を解決できる。
【先行技術文献】
【特許文献】
【０００３】
【特許文献１】中国特許出願公開第１０３４４５４３０号明細書
【発明の概要】
【発明が解決しようとする課題】
【０００４】
プロ専用の情報処理交換の手提げ設備を提供して上記問題を解決する。
【課題を解決するための手段】
【０００５】
本願に記載のプロ専用の情報処理交換の手提げ設備は、本体を含み、前記本体の頂面の中には矩形枠がスライド可能に設置され、前記矩形枠の頂面には前記本体に位置する収納空間が設置され、前記収納空間の前後壁の間には長スライド溝が形成され、二つの前記長スライド溝の間にはピン軸がスライド可能に設置され、前記収納空間の中には表示器枠が設置され、前記ピン軸が前記表示器枠の一端を貫通しており、且つ前記表示器枠と前記ピン軸とが固定的に連結され、前記表示器枠の頂面には表示器が固定的に嵌設され、前記表示器は情報を表示でき、前記表示器は使用者に情報を読み取らせるため、前記表示器枠に連動して前記収納空間の外部までスライドでき、前記本体の底面には処理器空間が設置され、前記処理器空間の中には処理器がスライド可能に設置され、前記処理器は前記表示器に電気信号を伝達でき、前記処理器空間の左側が外部と連通しており、前記処理器空間の左右両側壁の中にはいずれも放熱板が固定的に設置され、前記処理器空間の右側にはファン空間が設置され、前記ファン空間の中にはファンが回転可能に設置され、前記ファンは前記処理器に風を送って放熱を行うことができ、前記本体の右側面には貯蔵空間が形成され、前記貯蔵空間の中にはＵＳＢ処理器がスライド可能に設置され、前記ＵＳＢ処理器の右側面には二つのＵＳＢインターフェイスが固定的に設置され、前記ＵＳＢインターフェイスは外部のＵＳＢの情報を読み取ることができ、前記本体の頂部にはキーボードがスライド可能に設置されている。
【０００６】
好ましくは、前記矩形枠の左右両側にはいずれもスライド溝が形成され、前記スライド溝の中にはいずれもネジ山ブロックがスライド可能に設置され、前記ネジ山ブロックが前記矩形枠と固定されており、前記スライド溝の中にはいずれもネジ山棒が回転可能に設置され、前記ネジ山棒が前記ネジ山ブロックとネジ山により連結され、二つの前記ネジ山棒の底部の延びた部分がベルトにより連結され、右側の前記ネジ山棒の底端が前記本体の中に固定的に嵌設された昇降モータと伝動可能に連結されている。
【０００７】
好ましくは、前記収納空間の左側壁の中には動力モータが固定的に嵌設され、前記動力モータの右端には右方へ延びた螺旋棒が伝動可能に連結され、前記収納空間の底壁には底溝が形成され、前記底溝の中にはスライドブロックがスライド可能に設置され、前記螺旋棒にはネジ山スライドブロックがネジ山により連結され、前記ネジ山スライドブロックと前記スライドブロックとの間には連結棒が固定的に設置され、前記ネジ山スライドブロックと前記表示器枠の底面との間にはヒンジ連結棒がヒンジで連結されている。
【０００８】
好ましくは、前記処理器空間の底部は開けられるように設計され、前記処理器空間の頂壁には導電板が固定的に設置され、前記処理器の頂面には電気接続ブロックが固定的に設置され、前記電気接続ブロックを前記導電板の中に挿入することができ、前記導電板と前記表示器とが通電可能に連結され、前記処理器空間の右壁には引掛り板がスライド可能に設置され、前記引掛り板は前記処理器を止めることができ、前記引掛り板と前記本体の間には第一ばねが装着されている。
【０００９】
好ましくは、前記ファン空間の右壁の中には放熱モータが固定的に嵌設され、前記放熱モータと前記ファンとが伝動可能に連結され、前記ファン空間の底部が開口している。
【００１０】
好ましくは、前記貯蔵空間の右側には前記貯蔵空間を封じることができる回転止板が回転可能に設置され、前記ＵＳＢ処理器と前記貯蔵空間の左側壁との間には第二ばねが装着され、前記貯蔵空間の頂壁には導電接点が固定的に設置され、前記導電接点と前記導電板とが通電可能に連結され、前記導電接点は前記ＵＳＢ処理器の中の電気信号を前記処理器に伝達できる。
【００１１】
好ましくは、前記貯蔵空間の底壁には前記ＵＳＢ処理器の位置を制限できるラックがスライド可能に設置され、前記ラックの左側には復帰機構が固定的に設置され、前記ラックの前側には歯車が噛み合うように設置され、前記歯車の右端にはノブが固定的に連結され、前記ＵＳＢ処理器の底面には挿入溝が形成され、前記ラックを前記挿入溝の中に挿入することができる。
【発明の効果】
【００１２】
本願発明の有益効果は：本願発明は、表示器を収納空間の中に収納でき、矩形枠の昇降により表示装置の高さを調整することで使用者が需要に応じて高さを調節でき、使用快適度をアップする。また、ＵＳＢ処理器は貯蔵空間に収納すること又は貯蔵空間から伸びだすことで、ＵＳＢと一緒に貯蔵空間の中に収納され、紛失を防止できる。また、本願発明は手提げ式に設計され、携帯しやすい上に、構造が簡潔で、操作が便利で、宣伝価値がある。
【図面の簡単な説明】
【００１３】
下記に図１〜３をあわせて本発明について詳しく説明し、便利に説明するために、下記の方向を以下のように規定する：図１は本発明装置の正面図であり、本願に記載の各方向が、図１と同じ向きに装置を見た際の方向である。
【００１４】
【図１】図１は本願発明の内部全体構成図
【図２】図２は図１におけるＡの局部拡大図
【図３】図３は本願発明の外観図
【発明を実施するための形態】
【００１５】
図１〜３の示したように、プロ専用の情報処理交換の手提げ設備であって、本体１０を含み、前記本体１０の頂面の中には矩形枠７０がスライド可能に設置され、前記矩形枠７０の頂面には前記本体１０に位置する収納空間１８が設置され、前記収納空間１８の前後壁の間には長スライド溝２１が形成され、二つの前記長スライド溝２１の間にはピン軸２２がスライド可能に設置され、前記収納空間１８の中には表示器枠１６が設置され、前記ピン軸２２が前記表示器枠１６の一端を貫通しており、且つ前記表示器枠１６と前記ピン軸２２とが固定的に連結され、前記表示器枠１６の頂面には表示器１７が固定的に嵌設され、前記表示器１７は情報を表示でき、前記表示器１７は使用者に情報を読み取らせるため、前記表示器枠１６に連動して前記収納空間１８の外部までスライドでき、前記本体１０の底面には処理器空間３４が設置され、前記処理器空間３４の中には処理器３３がスライド可能に設置され、前記処理器３３は前記表示器１７に電気信号を伝達でき、前記処理器空間３４の左側が外部と連通しており、前記処理器空間３４の左右両側壁の中にはいずれも放熱板３７が固定的に設置され、前記処理器空間３４の右側にはファン空間４０が設置され、前記ファン空間４０の中にはファン３８が回転可能に設置され、前記ファン３８は前記処理器３３に風を送って放熱を行うことができ、前記本体１０の右側面には貯蔵空間４２が形成され、前記貯蔵空間４２の中にはＵＳＢ処理器６５がスライド可能に設置され、前記ＵＳＢ処理器６５の右側面には二つのＵＳＢインターフェイス４６が固定的に設置され、前記ＵＳＢインターフェイス４６は外部のＵＳＢの情報を読み取ることができ、前記本体１０の頂部にはキーボード１９がスライド可能に設置されている。
【００１６】
有益的には、前記矩形枠７０の左右両側にはいずれもスライド溝１２が形成され、前記スライド溝１２の中にはいずれもネジ山ブロック１１がスライド可能に設置され、前記ネジ山ブロック１１が前記矩形枠７０と固定されており、前記スライド溝１２の中にはいずれもネジ山棒１５が回転可能に設置され、前記ネジ山棒１５が前記ネジ山ブロック１１とネジ山により連結され、二つの前記ネジ山棒１５の底部の延びた部分がベルト３０により連結され、右側の前記ネジ山棒１５の底端が前記本体１０の中に固定的に嵌設された昇降モータ４４と伝動可能に連結され、前記昇降モータ４４の作動により、前記ネジ山棒１５が回転して前記矩形枠７０を上方へスライド連動させ、高さの調節を実現する。
【００１７】
有益的には、前記収納空間１８の左側壁の中には動力モータ２９が固定的に嵌設され、前記動力モータ２９の右端には右方へ延びた螺旋棒２４が伝動可能に連結され、前記収納空間１８の底壁には底溝２５が形成され、前記底溝２５の中にはスライドブロック２６がスライド可能に設置され、前記螺旋棒２４にはネジ山スライドブロック２３がネジ山により連結され、前記ネジ山スライドブロック２３と前記スライドブロック２６との間には連結棒２７が固定的に設置され、前記ネジ山スライドブロック２３と前記表示器枠１６の底面との間にはヒンジ連結棒２８がヒンジで連結され、前記動力モータ２９の作動により前記螺旋棒２４を回転させることで、前記ネジ山スライドブロック２３がスライドし、前記表示器枠１６が揺動して前記収納空間１８から出る。
【００１８】
有益的には、前記処理器空間３４の底部は開けられるように設計され、前記処理器空間３４の頂壁には導電板３１が固定的に設置され、前記処理器３３の頂面には電気接続ブロック３２が固定的に設置され、前記電気接続ブロック３２を前記導電板３１の中に挿入することができ、前記導電板３１と前記表示器１７とが通電可能に連結され、前記処理器空間３４の右壁には引掛り板３５がスライド可能に設置され、前記引掛り板３５は前記処理器３３を止めることができ、前記引掛り板３５と前記本体１０の間には第一ばね３６が装着され、前記処理器３３を前記処理器空間３４の中に押し込むことで、前記引掛り板３５が前記処理器３３を引っ掛ける。  
【００１９】
有益的には、前記ファン空間４０の右壁の中には放熱モータ３９が固定的に嵌設され、前記放熱モータ３９と前記ファン３８とが伝動可能に連結され、前記ファン空間４０の底部が開口しており、前記放熱モータ３９が起動すると、前記ファン３８が回転して前記処理器３３と前記放熱板３７に風を送り、前記処理器３３の温度が下がる。
【００２０】
有益的には、前記貯蔵空間４２の右側には前記貯蔵空間４２を封じることができる回転止板４５が回転可能に設置され、前記ＵＳＢ処理器６５と前記貯蔵空間４２の左側壁との間には第二ばね４１が装着され、前記貯蔵空間４２の頂壁には導電接点４７が固定的に設置され、前記導電接点４７と前記導電板３１とが通電可能に連結され、前記導電接点４７は前記ＵＳＢ処理器６５の中の電気信号を前記処理器３３に伝達できる。
【００２１】
有益的には、前記貯蔵空間４２の底壁には前記ＵＳＢ処理器６５の位置を制限できるラック５３がスライド可能に設置され、前記ラック５３の左側には復帰機構５４が固定的に設置され、前記ラック５３の前側には歯車５１が噛み合うように設置され、前記歯車５１の右端にはノブ５０が固定的に連結され、前記ＵＳＢ処理器６５の底面には挿入溝５５が形成され、前記ラック５３を前記挿入溝５５の中に挿入することができる。
【００２２】
使用において、前記表示器１７を使用しようとすると、まず右方へキーボード１９をスライドさせ、そして昇降モータ４４を起動してネジ山棒１５を回転させることで、ネジ山ブロック１１が上方へスライドして矩形枠７０から出て、前記動力モータ２９を起動することで螺旋棒２４を回転させてピン軸２２を左方へスライドさせ、表示器枠１６の左側部分が回転して前記収納空間１８から出て、そしてキーボードー１９で情報を入力し、処理器３３を起動し、そして処理器３３が情報を表示器１６に送り、同時に放熱モータ３を起動することで、ファン３８を回転させ、ファン３８が処理器３３と放熱板３７に風を送って処理器３３の温度を下げ、処理器３３を取り出そうとする時、、引掛り板３５を右方へ押し動かすだけで、処理器３３を手で取り出すことができる。
ＵＳＢのデータを読み取る時、まず回転止板４５を開けてノブ５０を回すことで、ラック５３を下方へ移動させ、この時ＵＳＢ処理器６５は第二ばね４１の弾力により弾き出され、ノブ５０を放すと、ラック５３が復帰機構５４の作用により復帰し、ラック５３を挿入溝５５の中に挿入してＵＳＢ処理器６５の位置を制限した後、ＵＳＢをＵＳＢインターフェイス４６の中に挿入してデータを処理する。
【００２３】
以上の方式により、当該分野の従業員は本願発明の範囲内で作業状況に応じて様々な改変を加えることができる。
【要約】
【課題】本願はプロ専用の情報処理交換の手提げ設備を開示した。
【解決手段】
本体を含み、前記本体の頂面の中には矩形枠がスライド可能に設置され、前記矩形枠の頂面には収納空間が設置され、前記収納空間の前後壁の間には長スライド溝が形成され、二つの前記長スライド溝の間にはピン軸がスライド可能に設置され、前記収納空間の中には表示器枠が設置され、前記ピン軸が前記表示器枠の一端を貫通しており、且つ前記表示器枠と前記ピン軸とが固定的に連結され、前記表示器枠の頂面には表示器が固定的に嵌設され、前記表示器は使用者に情報を読み取らせるため、前記表示器枠に連動して前記収納空間の外部までスライドでき、前記本体の底面には処理器空間が設置され、前記処理器空間の中には処理器がスライド可能に設置され、前記処理器は前記表示器に電気信号を伝達でき、前記処理器空間の左側が外部と連通している。
【選択図】図１【図１】
0006788159.tif 000002
【図２】
0006788159.tif 000003
【図３】
0006788159.tif 000004